(57)【要約】【課題】インスタント麺等の食品を収納したカップ状容器の開口部に取り付けられ、確実にリクローズできる蓋材を提供する。【解決手段】開封用タブ１０の両側縁に、容器口部から一部が突出し且つ容器口部の上周面に跨る係止用タブ１３を刻設し、開封用タブを引き上げて開封した後再度閉蓋する際、開封用タブの先端部１１を容器口部の上周面よりも下方に折り曲げることで、開封用タブ先端部１１が係止用タブ１３に係止されるように構成したことを特徴とする。【選択図】      図１
2004203448.tif 000002
【特許請求の範囲】
【請求項１】
容器口部の上面に接着して容器口部を覆い、かつ周縁部に開封用タブを設けてなる食品容器用蓋材において、
前記開封用タブの両側縁に、容器口部から一部が突出し且つ容器口部の上面に跨る係止用タブを刻設し、
前記開封用タブを引き上げて開封した後再度閉蓋する際、該開封用タブの先端部を容器口部の上面よりも下方に折り曲げることで、該開封用タブ先端部が前記係止用タブに係止されるように構成したことを特徴とする食品容器用蓋材。
【請求項２】
前記開封用タブ先端部の折り曲げ位置にミシン目線を設けたことを特徴とする請求項１に記載の食品容器用蓋材。
【発明の詳細な説明】
【０００１】
【発明の属する技術分野】
本発明は、インスタント麺やスナック菓子等の食品を収納したカップ状容器の開口部に取り付けられる食品容器用蓋材に関するものである。
【０００２】
【従来の技術】
例えばインスタント麺を収納するカップ状食品容器では、容器の中に麺や具などを入れ、蓋材を容器の口部周囲の上面にヒートシールして密封している。そして、中身を食する際、蓋材の周縁部に設けられている開封用タブを摘んで蓋材を半分ほど容器の上面から剥がし、お湯を注いでからこの蓋材を戻して再度蓋をし、麺がほぐれるまで待ってから蓋材全体を剥がすようにしている。
【０００３】
上記の如き蓋材は、十分な強度があるので剥がす際に破れることはないが、熱湯を注いで蓋を戻すと、剥がした部分が熱により上にカールして開いてしまい、お湯の熱が逃げ麺が充分にほぐれなくなる。そこで、開封用タブを折り曲げて、容器周縁のフランジ部分に引っ掛けて再封状態を保持するようにしているが、このような止め方ではすぐに外れるという問題がある。
【０００４】
そこで、開封用タブに切込片を刻設し、容器周縁のフランジ部下面に切込片を屈曲させて係止させるようにした蓋材が提案されている（例えば、特許文献１乃至４参照。）。
【０００５】
また、開封用タブ（引上げ部分）の外側にアーチ形状部分を設け、このアーチ形状部分を上方に折曲げることにより開封用タブを仮止めするようにした蓋材が提案されている（特許文献５参照。）。
【０００６】
【特許文献１】
実開昭５６−１００６４号公報
【特許文献２】
実開昭５９−４６８６８号公報
【特許文献３】
実開昭６１−３２６６号公報
【特許文献４】
実開昭６１−１７０７０号公報
【特許文献５】
実開平５−７２７８２号公報
【０００７】
【発明が解決しようとする課題】
しかしながら、特許文献１乃至４に記載のような切込片を屈曲させた係止方法においても、再封状態を確実に保持することは難しく、特に蓋材に剛性がある場合には、フランジ部下面から簡単に切込片が外れてしまうという問題があった。
【０００８】
また、特許文献５に記載のような係止方法では、リクローズする際、開封用タブ（引上げ部分）を元に戻し、この開封用タブを押えながらアーチ形状部分を上方に折曲げる必要があるため、リクローズを両手で行わなければならず操作性が悪いという問題があった。それに加え、開封用タブ（引上げ部分）の外側に更にアーチ形状部分を形成しているため、開封用タブとアーチ形状部分からなる膨出部が容器の外側に大きく突出することになり、例えば蓋材を貼着した容器をシュリンク包装する場合にこの膨出部が抵抗となり、シュリンクフィルムが破れ易くなるといった問題もあった。
【０００９】
本発明は、上記のような問題点に鑑み、蓋材の剛性の有無に関わらず開封用タブを確実に且つ操作性良くリクローズできると共に、容器の外側に突出する部分を最小限に押さえることができる食品容器用蓋材を提供することを目的とする。
【００１０】
【課題を解決するための手段】
上記の目的を達成すべく成された本発明は、容器口部の上面に接着して容器口部を覆い、かつ周縁部に開封用タブを設けてなる食品容器用蓋材において、前記開封用タブの両側縁に、容器口部から一部が突出し且つ容器口部の上面に跨る係止用タブを刻設し、前記開封用タブを引き上げて開封した後再度閉蓋する際、該開封用タブの先端部を容器口部の上面よりも下方に折り曲げることで、該開封用タブ先端部が前記係止用タブに係止されるように構成したことを特徴としているものである。
また、前記開封用タブ先端部の折り曲げ位置にミシン目線を設けたことを特徴としているものである。
【００１１】
本発明の食品容器用蓋材によれば、開封用タブ先端部がその両側に形成された係止用タブに係止される構成であるため、たとえ剛性がある蓋材であっても確実にリクローズすることができる。また、開封用タブ先端部を下方に折り曲げるだけでリクローズすることができ、片手でも操作性良く極めて簡単にリクローズすることができる。さらに、係止用タブが開封用タブの外側ではなく側部に形成されているため、容器からの突出長を最小限に押さえることができ、容器をシュリンク包装する場合にもシュリンクフィルムが破れるといった問題を容易に回避することができる。
【００１２】
【発明の実施の形態】
以下、本発明の実施形態例を説明するが、本発明はかかる形態例に限定されるものではなく、本発明の要旨の範囲内で適宜設計変更が可能である。
【００１３】
本発明の蓋材は、インスタント麺やスナック菓子等の食品を収納したカップ状容器に貼着されるものであり、その材料は特に限定されるものではなく、従来から食品容器用蓋材として用いられているものを用いることができる。具体的には、例えばカップラーメンのような即席麺の容器の蓋材として用いる場合には、樹脂フィルム／ポリエチレン層／基材（紙、もしくは、紙＋アルミ箔）／ポリエチレン層／シーラント層、あるいは、樹脂フィルム／ポリエチレン層／基材（紙、もしくは、紙＋アルミ箔）／ポリエチレン層／樹脂フィルム／シーラント層からなる積層材が一般的に使用される。これら各層を簡単に説明する。
【００１４】
樹脂フィルムは、基材（紙）のもつカールし易い性質を防止し、かつ易開封性を高めるものであり、ポリエステルフィルム、ナイロンフィルム、ポリプロピレンフィルム等が好適である。
【００１５】
基材は、例えば７０〜１５０ｇ／ｍ2の範囲の純白ロール紙、上質紙、クラフト紙等よりなる紙の単体、もしくは紙とアルミ箔の積層が好適である。アルミ箔は、酸素バリアー性に加えて、塑性変形性を蓋材に与えるものであり、７μｍ以上のものが好ましい。尚、閉蓋後に金属探知器による内容物検査を行う食品容器に適用する場合には、アルミ箔は使用されない。
【００１６】
ポリエチレン層は、基材と樹脂フィルムとの接着層である。
【００１７】
シーラント層は、低温シール性のあるホットメルト接着剤の他、例えばエチレンビニルアセテート、エチレンエチルアクリレート等を用いることができる。
【００１８】
本発明の一実施形態例としてのインスタント麺を収納したカップ容器用蓋材を図１乃至図３を参照して説明する。図１は本例の蓋材の平面図であり、図２は図１の蓋材を容器口部の上面に接着した状態を示す斜視図である。図３は蓋材を開封した後に、再封された状態を示す側面図である。
【００１９】
これらの図において、１は蓋材、１０は開封用タブ、１１は開封用タブの先端部、１２は切込線、１３は係止用タブ、２０は容器、２１は容器口部の上面である。
【００２０】
この蓋材１は、開封用タブ１０の両サイドに所定の切込線１２によって刻設された係止用タブ１３を有しており、容器口部の上面２１にヒートシールにより取り付けられる。この取り付け状態においては、図１及び図２に示すように、開封用タブ１０は容器２０の側面から突き出た状態である。
【００２１】
２本の切込線１２の始点は開封用タブ１０の両サイド周縁部にあり、その間隔を狭めるようにして接近した後、再び離れるようにして容器口部上面２１上で止まっている。このように、切込線１２を容器口部の内側に入らないように上面２１上で止めることにより、食品容器としての密閉性（バリア性）を損なうことがない。
【００２２】
上記のような２本の切込線１２によって開封用タブ１０の両サイドに形成された係止用タブ１３は、容器口部から部分的に突出した形態となる。また、開封用タブ先端部１１は先端が幅広で、本例の場合には『矢印状』の形態を呈している。
【００２３】
容器に収容されている麺を食する際は、先ず開封用タブ先端部１１を摘んで引き上げることにより、開封することができる。この時、蓋材の積層材を構成する前記樹脂フィルムとして、例えば一軸延伸処理を施したフィルム（ＯＰＰフィルム等）を用い、この延伸方向を引き裂き方向に合わせておくことにより、方向性良く引き裂くことができる。
【００２４】
次いで、引き上げ部分（開封した部分）を元に戻し、図３に示すように、開封用タブ先端部１１を容器口部の上面２１よりも下方に折り曲げ、係止用タブ１３の下に潜り込ませることにより、開封用タブ先端部１１は、その両側で係止用タブ１３に係止される。
【００２５】
このように本発明の蓋材では、開封用タブ先端部を下方に折り曲げるだけでリクローズすることができ、片手でも操作性良く極めて簡単にリクローズすることが可能である。また、係止用タブ１３を開封用タブの外側ではなく側部に形成したことにより、容器からの突出長を最小限に押さえることができ、シュリンクフィルムの破れ防止を容易に図ることができる。
【００２６】
本発明においては、開封用タブ先端部の折り曲げ位置にミシン目線（不図示）を設けておくことが好ましい。これにより、開封用タブ先端部を適切な位置で簡単且つ確実に折り曲げることができる。このミシン目線は、フルカットでもハーフカットでも良いが、開封用タブ先端部１１が簡単には契れてしまわない程度で、且つ、折り曲げ線として機能できるようなピッチ等で形成される。
【００２７】
本形態において、係止用タブ１３の容器口部からの突出長さ（図１中のＡ）は、開封用タブ先端部１１を係止して再封状態を確実に保持できるようにするためには、１．５ｍｍ以上８ｍｍ以下に設計するのが好ましく、２ｍｍ以上５ｍｍ以下が特に好ましい。
【００２８】
上記突出長さが短すぎると、開封用タブ先端部１１との係止が外れ易くなる。逆に、上記突出長さが長すぎると、係止後の開封用タブ先端部１１の可動範囲が大きくなり過ぎて、引き上げ部分（開封部分）の両側に隙間が開き易くなる。
【００２９】
また、開封用タブ先端部１１の係止長さ（図１中のＢ）は、再封状態を確実に保持できるようにするために、３ｍｍ以上が好ましく、必要以上に長くする必要はないが５ｍｍ程度が特に好ましい。
【００３０】
本例のように本発明の蓋材をインスタント麺のカップ容器に適用した場合、熱湯を注いだ後、上記のように再封して調理する間、蒸気によって蓋材には僅かながら上向きの力が作用する。このため、従来のように単に切込片を屈曲させた係止方法では、切込片が元に形態に戻ってしまい易く、再封状態を保持することが難しい。
【００３１】
しかしながら、本発明の蓋材では、一度、開封用タブ先端部１１を下方に折り曲げて係止させると、蓋材に上向きの力が掛かったとしても、開封用タブ先端部１１は係止用タブ１３の下側で若干、具体的には概ね係止用タブ１３の突出長さ（図１中のＡ）に相当する分だけ、容器側に引き戻されるだけであり、係止状態はそのまま保持される。
【００３２】
そして、麺がほぐれるまで再封状態で所定の時間放置した後、蓋材を剥がして開封する。尚、開封用タブ先端部１１を引き上げて開封した後に両側に残った蓋材は、係止用タブ１３の容器口部から突出した部分を摘んで引き上げることによって剥がすことができる。
【００３３】
本発明の食品容器用蓋材の別の形態例を図４及び図５に示す。図４は本例の蓋材の平面図であり、図５は図４の蓋材を容器口部の上面に接着した状態を示す斜視図である。
【００３４】
本例は、切込線１２を蓋材の周縁部まで延長することにより、全幅に渡って開封されるようにしたものである。但し、この場合の切込線１２は、蓋材から係止用タブ１３が当初から分離しないように部分的にミシン目（弱め線）として形成される。尚、このような形態においても、図４及び図５中に破線で示すような開封ライン１４まで全幅に渡って開封した後、先の例と同様にして再封することができる。
【００３５】
以上の通り、本発明の食品容器用蓋材は、開封用タブ先端部をその両側に刻設した係止用タブに係止される構成を要旨とするものである。従って、開封用タブ先端部および係止用タブの形状は本発明の要旨内で自由に設計変更できるものである。
【００３６】
【発明の効果】
以上説明したように、本発明の食品容器用蓋材によれば、開封用タブ先端部をその両側に形成された係止用タブに係止させる構成であるため、剛性がある蓋材であっても確実にリクローズすることができる。また、開封用タブ先端部を下方に折り曲げるだけでリクローズすることができ、片手でも操作性良く極めて簡単にリクローズすることができる。さらに、容器からの突出長を最小限に押さえることができ、シュリンクフィルムの破損を回避することができる。
【００３７】
また、開封用タブ先端部の折り曲げ位置にミシン目線を設けておくことにより、適切な位置で確実に開封用タブ先端部を折り曲げることができ、極めて簡単且つ確実にリクローズすることができる。
【図面の簡単な説明】
【図１】本発明の食品容器用蓋材の一実施形態例を示す平面図である。
【図２】図１の蓋材を容器口部の上面に接着した状態を示す斜視図である。
【図３】図１の蓋材を開封した後に再閉蓋された状態を示す側面図である。
【図４】本発明の食品容器用蓋材の別の実施形態例を示す平面図である。
【図５】図４の蓋材を容器口部の上面に接着した状態を示す斜視図である。
【符号の説明】
１  蓋材
１０  開封用タブ
１１  開封用タブ先端部
１２  切込線
１３  係止用タブ
１４  開封ライン
２０  容器
２１  容器口部の上面
【図１】
2004203448.tif 000003
【図２】
2004203448.tif 000004
【図３】
2004203448.tif 000005
【図４】
2004203448.tif 000006
【図５】
2004203448.tif 000007